(57)【要約】【課題】本発明の課題は、永久磁石整流子モータにおいて、全波整流回路へ大容量の電解コンデンサを挿入することなく、整流子に発生する火花放電またはフラッシュオーバーを抑制することにある。【解決手段】  電機子コイル６は、実効値１００Ｖを超える前記単相交流電源１の全波整流電圧によって駆動されように構成され、複数の整流子片５ｆは、電機子コアに形成された複数のスロット５ｃの数ｎより２倍以上の整数倍の数（２ｎ、３ｎ、・・・・）に形成され、かつ各スロット５ｃ内に巻回される電機子コイル６の本数６１、６２、６３を整数倍の数（２ｎ、３ｎ、・・・・）に等しく設置することによって、火花放電を低減する。【選択図】図３
2010068668.tif 000002
【特許請求の範囲】
【請求項１】
固定子ヨークおよび該固定子ヨークの内周面に設けられた一対の対向する永久界磁磁石を備えた固定子と、
該固定子の内周面の中心軸に設けられた回転軸に装着され、該回転軸の半径方向外側に外周面を有するコアであって、該コアの半径方向に開き、かつ前記回転軸方向に沿って延在するように形成された複数のスロットを有する電機子コアと、
前記電機子コアの各スロット内に巻回された電機子コイルと、
互いに電気的絶縁された複数の整流子片を有し、該整流子片に前記電機子コイルの端部を電気的接続して前記電機子コイルに駆動電流を供給するための整流子と、
単相交流電源を全波整流するための電源回路手段と、
前記電源回路手段の正極側および負極側にそれぞれ電気的接続され、前記整流子に摺動して前記電機子コイルへ前記駆動電流を供給する一対のブラシと、を具備する永久磁石整流子モータにおいて、
前記電機子コイルは、実効値１００Ｖを超える前記単相交流電源の全波整流電圧によって駆動されるように構成され、
前記複数の整流子片は、前記電機子コアに形成された前記複数のスロット数（ｎ）より２倍以上の整数倍の数（２ｎ、３ｎ、・・・・）に形成され、かつ前記各スロット内に巻回される前記電機子コイルの本数を前記整数倍の数（２ｎ、３ｎ、・・・・）に等しく設置することによって、火花放電を低減したことを特徴とする永久磁石整流子モータ。
【請求項２】
前記電機子コイルは、実効値２００Ｖ以上の前記単相交流電源の全波整流電圧によって駆動されように構成され、
前記複数の整流子片は、前記電機子コアに形成された前記複数のスロット数（ｎ）に対して３倍の数（３ｎ）に形成され、かつ前記各スロット内に巻回される前記電機子コイルの本数を前記３倍の数（３ｎ）に設置することによって、火花放電を低減したことを特徴とする請求項１に記載された永久磁石整流子モータ。
【請求項３】
前記永久磁石は希土類焼結体から構成されたことを特徴とする請求項１または請求項２に記載された永久磁石整流子モータ。
【請求項４】
前記永久界磁磁石の内半径（ｒｍ）を前記電機子コアの外周面までの外半径（ｒａ）より大きくし、前記永久界磁磁石の内半径（ｒｍ）の中心を前記電機子コアの外半径（ｒａ）の中心より所定値（δ）ずらすことにより、前記永久界磁磁石と前記電機子コアとの空隙を、前記永久界磁磁石の中央部から端部に向かって連続的に拡張したことを特徴とする請求項１乃至請求項３記載のいずれか一つに記載された永久磁石整流子モータ。
【請求項５】
ハウジングと、前記ハウジング内に収納された電動モータと、前記ハウジングの一端部に装着された被加工部材を加工するための先端工具と、前記ハウジング内に収納されて前記電動モータの動力によって前記先端工具を駆動するための動力伝達機構部と、を具備する電動工具において、
前記電動モータは、請求項１乃至請求項４のいずれか一つに記載された永久磁石整流子モータによって構成されたことを特徴とする電動工具。
【発明の詳細な説明】
【技術分野】
【０００１】
本発明は、単相交流電圧が１００Ｖを超える商用電源で駆動することが可能な永久磁石整流子モータおよびそれを用いた電動工具に関し、特に、高電圧駆動電源に起因する整流子片でのフラッシュオーバーの発生を防止した永久磁石整流子モータ、およびそれを用いた電動工具に関するものである。
【背景技術】
【０００２】
従来、固定子として永久磁石を用い、商用単相交流電圧を全波整流したものを電機子コアに巻回したコイルに印加する永久磁石整流子モータは、固定子コアに巻回したコイルに交流電流を通電し界磁を作るユニバーサルモータに比較して小形化および軽量化が可能となるので、電動工具の駆動源として一般に用いられている。
【０００３】
しかし、図７に示されるように、固定子３の界磁磁石として永久磁石３ｂ、３ｃを用いる永久磁石整流子モータは、単相交流を全波整流器で整流しただけの直流電源で駆動すると、ユニバーサルモータに比べ格段に整流性が悪化するため、電解コンデンサ７を全波整流器２とモータのブラシ４間に並列に挿入し、単相交流電源１を全波整流した波形をさらに平滑化してモータを駆動することが行われている。平滑化に用いられる電解コンデンサ７は、商用交流電源が１００Ｖの場合は挿入しなくても実用化されているが、１００Ｖを超える電圧、特に、２００Ｖ以上の商用電源で駆動する場合には、挿入するのが一般的である。
【０００４】
さらに、下記特許文献１に開示されているように、全波整流回路の出力側に電解コンデンサを並列接続した直流整流子モータにおいて、火花放電を軽減するために、直流電源の正極側に接続されるブラシを比抵抗の高い材質で構成し、直流電源の負極側に接続されるブラシを比抵抗の低い材質によって構成した技術が知られている。
【０００５】
【特許文献１】特開２００１−８４２４号公報
【発明の開示】
【発明が解決しようとする課題】
【０００６】
本発明者等は、従来の永久磁石整流子モータを単相交流電圧が１００Ｖを超える全波整流直流電源で駆動する場合、次のような問題点が生ずることを見出した。
【０００７】
すなわち、従来の永久磁石整流子モータ（図７参照）では、商用電源１の単相交流１００Ｖで駆動する場合、全波整流回路２の出力側に平滑化用電解コンデンサ７を挿入しなくても、実用上支障がないレベルの整流悪化でおさまる。しかし、駆動電源としての単相交流電圧が１００Ｖを超えて、特に、２００Ｖ以上の電圧になると、全波整流回路の出力側に脈流電圧を平滑化する電解コンデンサ７が挿入していない場合、整流子５ａによる整流性が悪化する程度が激しくなり、起動時および運転中に、正極側ブラシ４と負極側ブラシ４間に火花が発生する。特に、脈流電圧がある限界を超えると、ブラシ間に流れる荷電粒子の量はなだれ的に増加し、ブラシ間には大電流が流れるように過大な火花放電（フラッシュオーバー）が発生し、モータの故障に至ることが分かった。また、このフラッシュオーバーを抑制するために、商用電源が１００Ｖを超える電圧（例えば、単相交流電圧が２００Ｖ）で駆動する場合、全波整流回路の出力側に数十μＦ以上の電界コンデンサ７を挿入して脈流電源の平滑化を図ることにより所期の目的が達成できることが分かった。
【０００８】
しかしながら、この大型容量の電解コンデンサ７は液漏れや膨張が発生しやいため、整流子モータの故障頻度が増える欠点があった。さらに、容積の大きな電解コンデンサを取付けるための大きな占有スペースを必要とするために、モータおよび電動工具が大形化するという問題があり、また、モータまたは電動工具の組立て工数が増加してコストアップになるという欠点もあった。
【０００９】
一方、上記特許文献１に開示されている正極側ブラシの材質を負極側ブラシの材質と異ならせる技術は、正極側ブラシと負極側ブラシの誤使用を防止するために、両者のブラシやブラシホルダの形状を変える必要があるので、組立時の部品点数および組立工数が増加してコストアップになるという欠点があった。
【００１０】
したがって、本発明の目的は、上記問題点を解消するために、電界コンデンサを挿入しなくても単相交流電源１００Ｖを超える電源電圧で火花放電を低減させた永久磁石整流子モータおよびそれを用いた電動工具を提供することにある。
【課題を解決するための手段】
【００１１】
上記課題を解決するために本発明に従って開示される発明のうち、代表的なものの特徴を説明すれば、次のとおりである。
【００１２】
本発明の一つの特徴によれば、固定子ヨークおよび該固定子ヨークの内周面に設けられた一対の対向する永久界磁磁石を備えた固定子と、該固定子の内周面の中心軸に設けられた回転軸に装着され、該回転軸の半径方向外側に外周面を有するコアであって、該コアの半径方向に開き、かつ前記回転軸方向に沿って延在するように形成された複数のスロットを有する電機子コアと、前記電機子コアの各スロット内に巻回された電機子コイルと、互いに電気的絶縁された複数の整流子片を有し、該整流子片に前記電機子コイルの端部を電気的接続して前記電機子コイルに駆動電流を供給するための整流子と、単相交流電源を全波整流するための電源回路手段と、前記電源回路手段の正極側および負極側にそれぞれ電気的接続され、前記整流子に摺動して前記電機子コイルへ前記駆動電流を供給する一対のブラシと、を具備する永久磁石整流子モータにおいて、前記電機子コイルは、実効値１００Ｖを超える前記単相交流電源の全波整流電圧によって駆動されるように構成され、前記複数の整流子片は、前記電機子コアに形成された前記複数のスロット数（ｎ）より２倍以上の整数倍の数（２ｎ、３ｎ、・・・・）に形成され、かつ前記各スロット内に巻回される前記電機子コイルの本数を前記整数倍の数（２ｎ、３ｎ、・・・・）に等しく設置することによって、火花放電を低減させる。
【００１３】
本発明の他の特徴によれば、前記電機子コイルは、実効値２００Ｖ以上の前記単相交流電源の全波整流電圧によって駆動されように構成され、前記複数の整流子片は、前記電機子コアに形成された前記複数のスロット数（ｎ）に対して３倍の数（３ｎ）に形成され、かつ前記各スロット内に巻回される前記電機子コイルの本数を前記３倍の数（３ｎ）に設置することによって、火花放電を低減させる。
【００１４】
本発明のさらに他の特徴によれば、前記永久磁石は希土類焼結体から構成する。
【００１５】
本発明のさらに他の特徴によれば、前記永久界磁磁石の内半径（ｒｍ）を前記電機子コアの外周面までの外半径（ｒａ）より大きくし、前記永久界磁磁石の内半径（ｒｍ）の中心を前記電機子コアの外半径（ｒａ）の中心より所定値（δ）ずらすことにより、前記永久界磁磁石と前記電機子コアとの空隙を、前記永久界磁磁石の中央部から端部に向かって連続的に拡張するように構成する。
【００１６】
本発明のさらに他の特徴によれば、ハウジングと、前記ハウジング内に収納された電動モータと、前記ハウジングの一端部に装着された被加工部材を加工するための先端工具と、前記ハウジング内に収納されて前記電動モータの動力によって前記先端工具を駆動するための動力伝達機構部と、を具備する電動工具において、前記電動モータは、上記特徴を持つ永久磁石整流子モータによって構成される。
【発明の効果】
【００１７】
上記本発明の特徴によれば、前記複数の整流子片は、前記電機子コアに形成された前記複数のスロット数（ｎ）より２倍以上の整数倍の数（２ｎ、３ｎ、・・・・）に形成され、かつ前記各スロット内に巻回される前記電機子コイルの本数を前記整数倍の数（２ｎ、３ｎ、・・・・）に等しく設置することによって、火花放電を低減させ、一対のブラシ間を閃絡するフラッシュオーバーを抑制することができる。これにより、ブラシおよび整流子の摩耗を抑制することができる。特に、スロット数ｎに対して、整流子の整流子片を３倍以上に設定することにより、実効値２００Ｖ以上の単相交流電圧に対してフラッシュオーバーの発生を防止することができる。
【００１８】
上記本発明の他の特徴によれば、固定子の界磁磁石は希土類焼結体から構成されるので、固定子磁石により磁束量を増加させることができ、電機子コイルの総巻数を低減することができる。これによって、整流子片間のコイル巻数を減らすことができ、更なる整流性の改善が図れ、かつ火花放電の抑制効果が増大する。逆に、コイル巻数を減らさない場合は永久磁石を小形にでき、引いてはモータの小形化が図れる。
【００１９】
さらに、上記本発明の他の特徴によれば、永久磁石の内半径ｒｍを電機子コアの外半径ｒａより大きくし、永久磁石の内半径ｒｍの中心を電機子コアの外半径ｒａの中心より所定値δずらすことにより、永久磁石と電機子コアとの空隙を永久磁石の中央部から端部に向かって連続的に拡張することができる。これにより、永久磁石の端部における磁束の急激な変化をなくすことにより、電機子のコギングトルク（トルクムラ）を抑制できると共に、カーボンブラシと整流子間の機械的な摺動接触性を安定化させることができる。この場合、カーボンブラシの摺動性の不安定に起因する火花放電を抑制することができる。
【００２０】
本発明の上記および他の目的、ならびに上記および他の特徴は、以下の本明細書の記述および添付図面からさらに明らかにされる。
【発明を実施するための最良の形態】
【００２１】
以下、本発明の実施形態について図面を参照して詳細に説明する。なお、実施形態を説明するための全図において、同一の機能を有する部材には同一の符号を付し、その繰り返しの説明は省略する。また、上述した従来技術と同様な部材または構成要素についても、同一の符号を付している。
【００２２】
［電動工具１００の全体構成について］
図1は、本発明の永久磁石整流子モータをロータリ型ハンマドリルに適用した場合の実施形態に係る電動工具全体の断面図（正面図）を示す。最初に、図１を参照して、電動工具全体の構成について説明する。
【００２３】
ロータリハンマドリル（電動工具）１００は、後述する永久磁石整流子モータ７０（以下、単に、「整流子モータ７０」と称する）を動力の駆動源として使用している。ハウジング１０１は、整流子モータ７０の回転軸と同一方向に沿って延びる胴体ハウジング部１０１ａと、胴体ハウジング部１０１ａの一端部から垂下するハンドルハウジング部１０１ｂとから構成されている。
【００２４】
ハンドルハウジング部１０１ｂの下端部には、整流子モータ７０の駆動電源となる単相交流２００Ｖの商用電源を供給するための電源ケーブル１０４が導出されている。また、ハンドルハウジング部１０１ｂ内には、スイッチ機構部１０６が装着されており、該スイッチ機構部１０６には、作業者によるトリガ引き操作に従って整流子モータ７０への給電をオン・オフ制御できるように、トリガ１０５が機械的に結合されている。また、上記電源ケーブル１０４とスイッチ機構部１０６の間には、単相交流電源２００Ｖを全波整流するための全波整流器（回路基板）２が装着されている。
【００２５】
胴体ハウジング部１０１ａ内に装着された整流子モータ７０の固定子３は、磁束密度の大きな希土類の焼結体から成る一対の永久磁石（Ｎ極およびＳ極の界磁磁石）３ｂ、３ｃと、一対の永久磁石の磁路を形成する円形状の固定子ヨーク３ａとから構成される。また、整流子モータ７０の電機子５は、電機子シャフト５ｅから樹脂絶縁層５ｇによって絶縁された電機子コア５ｂと、電機子コアに巻回された電機子コイル６と、電機子コイル６の一端に電気的接続された整流子５ａとを具備する。整流子５ａには、一対のブラシ４が接触するように設けられている。一対のブラシ４は、ブラシホルダ４ａによって保持されたカーボンブラシによって構成され、この一対のブラシ４は、上記全波整流回路基板２の直流出力（整流出力）の正極側および負極側にそれぞれ電気的接続されている。
【００２６】
整流子モータ７０の回転出力は、回転シャフト５ｅの出力軸に結合されたピニオンギヤ（図示なし）を介して動力伝達機構部１０７に伝達される。動力伝達機構部１０７は、図示されていないが、ピニオンギヤ等を含む減速機構部と、シリンダ、ピストン、クラッチ機構等を含む打撃機構部とから構成される。この動力伝達機構部１０７によって、整流子モータ７０の回転出力を、工具保持部１０２によって取付けられたドリルビット（先端工具）１０３に回転力および打撃力として同時に付与し、先端工具１０３を回転駆動させることができる。なお、整流子モータ７０の回転出力軸（動力伝達機構部１０７側）には、冷却ファン（図示なし）が取付けられ、風窓１０８より冷却風を吸入するように構成されている。
【００２７】
このような電動工具１００では、作業者がトリガ１０５の引き操作を行ってスイッチ機構部１０６を介して整流子モータ７０を駆動すると、整流子モータ７０の出力軸（５ｅ）における回転力は動力伝達機構部１０７によって減速され、かつ打撃力に変換され、その減速回転力および打撃力が先端工具１０３に伝達される。これにより、ドリル１０３は被加工部材に穴あけ作業を実施できる。
【００２８】
［整流子モータ７０の構成について］
上記電動工具１００において、特に、整流子モータ７０は、次のように構成されている。
整流子モータ７０の電機子コア５ｂは、図３の電機子コイル展開図（略式図）に示されるように、１２個のスロット５ｃ（１〜１２）によって互いに分離された１２個の電機子コアのティース部５ｄによって構成される。また、整流子５ａは、互いに絶縁層（図示なし）によって分離された３６枚の整流子片５ｆ（１〜３６）から構成される。すなわち、整流子片５ｆは、電機子コア５ｂに形成されたスロット５ｃの数ｎ（例えば、１２スロット）に対して、３倍の数３ｎ（例えば、３６枚）を有する。
【００２９】
そして、一端が整流子片５ｆに電気的接続された電機子コイル６は、電機子コア５ｂの互いに対向する各スロット５ｃ（図３におけるスロットＮｏ．１とスロットＮｏ．６）に対して、３本（整流子片数３ｎ／スロット数ｎ＝３本）のコイル６１、６２および６３が巻回される。すなわち、隣接する３組の整流子片５ｆ（例えば、Ｎｏ．３６、Ｎｏ．１、Ｎｏ．２の整流子片５ｆ）に接続される３本のコイル６１、６２および６３が、同一スロットＮｏ．１に巻回される。所謂、各スロットは、３本のコイルが巻回される３本持ちコイルとなる。全波整流回路基板２によって全波整流した直流電源は、前記一対のカーボンブラシ４および整流子５ａを経由して電機子コイル６に供給される。図２は、整流子モータ７０の回路図を示す。
【００３０】
また、図３に示されるように、カーボンブラシ４の位置は、永久磁石のＮ極３ｂとＳ極３ｃの中間の位置、所謂、幾何学的中性点、から電機子５の回転方向と逆方向にある角度θへずらした場所になっている。直流電源２の正極側および負極側に電気的接続される一対のカーボンブラシ４は、共に同一の比抵抗を持つ同一の材質で、かつ同一の形状寸法を有する。なお、図３に示されるように、カーボンブラシ４の幅ｂは、カーボンブラシの加工精度を考慮して、整流子５ａを構成する整流子片５ｆの幅ａの２．５倍以下、つまり、ブラシカバリング２．５以下となるように構成する。
【００３１】
かかる整流子モータ７０の構成によれば、図７に示されるような高耐圧、高容量の大型の電解コンデンサ（７）を接続することなく、１００Ｖ（実効値）を超える単相交流電圧に対してフラッシュオーバーを防止することができる。もちろん、図７に示されるように、もし必要ならば、電磁ノイズ（パルス状サージ電圧）を抑制するために、全波整流回路２の入力側の単相交流電源線間に１個のコンデンサ８ａと、アース間に２個のコンデンサ８ｂ、８ｃとから構成されたコンデンサ組を装着してもよい。この場合、単相交流電源線間に挿入される線間容量は、極性の無い最大０．６μＦ程度であるので、整流電圧に対する平滑効果が全く得られず、フラッシュオーバーを抑制する作用がない。
【００３２】
［整流子モータ７０の整流性能について］
上記整流子モータ７０によれば、次のような整流性能を得ることができる。
（１）正極側および負極側における一対のカーボンブラシ４間の供給電圧、すなわち電機子間電圧をＶａ（実効値）、整流子片５ｆの数をＮｓｅｇとすると、隣接する整流子片５ｆ間の電圧Ｖｓｅｇは、Ｖｓｅｇ＝２Ｖａ／Ｎｓｅｇとなる。例えば、電機子コアのスロット５ｃの数が１２で整流子片５ｆの数が３６枚の整流子５ａなら、整流子片５ｆの数２４枚の整流子５ａを使用した場合に比べ、整流子片５ｆ間の電圧Ｖｓｅｇは、２／３に低下させることができる。
【００３３】
しかも、各スロット内に配設される電機子コイル６の本数は、整流子片５ｆの数２４枚の整流子５ａを使用した場合の電機子コイル６の本数２本（２本持ち）に比べ、３本（３本持ち）にすることができるため、隣接する整流子片５ｆ間に挿入されるコイル抵抗ＲｓｅｇおよびコイルインダクタンスＬｓｅｇを小さくできる。
【００３４】
従って、整流子片５ｆ間の上記供給電圧Ｖａ、ならびにコイル抵抗ＲｓｅｇおよびコイルインダクタンスＬｓｅｇを小さく設定できるので、電機子コアのスロット５ｃの数が１２で整流子片５ｆの数が３６枚の整流子５ａなら、整流子片５ｆの数２４枚の整流子５ａを使用した場合に比べ、起動時や運転中に正負のカーボンブラシ４間で発生する過大な火花であるフラッシュオーバーの発生の抑制が可能になると実験的に考えられる。
【００３５】
図４は、電機子コアのスロット５ｃの数が１２で整流子片５ｆの数を３倍の３６枚の場合、および電機子コアのスロット５ｃの数が１２で整流子片５ｆの数を２倍の２４枚の場合について、起動時の火花放電（フラッシュオーバーの発生）を単相交流電源１の電圧値（実効値）を変えて測定した結果を示したものである。なお、この検討に用いた整流子モータ７０の電機子コア５ｂの外径は３５．７ｍｍ、電機子コア５ｂの積厚は２２ｍｍ、整流子モータ７０の入力電力は６５０Ｗ程度である。
【００３６】
図４から明らかにされるように、整流子片２４枚については、電源電圧２００Ｖでフラッシュオーバーが発生するのに対して、整流子片３６枚では、電源電圧２６０Ｖでフラッシュオーバーが発生する。また、図４に図示されていないが、整流子片１２枚については、電源電圧１５０Ｖ以下でフラッシュオーバーの発生が観測された。結果的に図５に示すように、電源電圧１００Ｖを超えて２００Ｖ以下の場合は整流子片２４枚でコイル本数２本とし、電源電圧２００Ｖを超えて２６０Ｖ以下の場合は整流子片３６枚でコイル本数３本に設定すれば、フラッシュオーバーの発生を抑制することができる。本発明によれば、特に、２００Ｖの単相交流電源電圧に対してフラッシュオーバーを抑制するために、整流子片３６枚でスロット内のコイル本数を３本とすればよい。
【００３７】
（２）永久磁石モータ７０はカーボンブラシ４を幾何学的中性点から電機子５の回転方向と逆方向にある角度θずらすことにより、電機子コイル６の整流中のコイルが、磁束密度の小さい位置においてカーボンブラシ４で短絡されるようにでき、電気的な整流性能をさらに向上させることができる。
【００３８】
（３）永久磁石モータ７０はブラシカバリングを２．５以下として、４枚の整流子片５ｆを１つのカーボンブラシ４で短絡しない構成とすることにより、同時に整流を行うコイル数を減らすことができる。これにより、整流改善の効果がさらに向上する。
【００３９】
［整流子モータ７０の変形例について］
図６に示すように、固定子ヨーク３ａに固着された一対の永久磁石３ｂ、３ｃの内半径ｒｍを、電機子コア５ｂの外半径ｒａより大きくし、かつ永久磁石３ｂ、３ｃの内半径ｒｍの中心を電機子コア５ｂの外半径ｒａの中心よりδずらすことにより、永久磁石３ｂ、３ｃと電機子コア５ｂとの空隙（離間距離）を永久磁石３ｂ、３ｃの中央部から端部に向けて連続的に拡張してもよい。これにより、永久磁石３ｂ、３ｃの端部における磁束の急激な変化をなくすことにより、電機子５のコギングトルク（トルクムラ）を抑制できる。また、カーボンブラシ４と整流子５ａ間の機械的な摺動接触性を安定させることができるので、さらに整流性能を安定させ、火花放電を抑制できる。
【００４０】
なお、上記実施形態において、強磁性体の固定子ヨーク３ａの内周面に固着される一対の永久磁石３ａ、３ｂの材質は、磁束密度の大きな希土類の焼結体磁石で構成することが望ましい。これにより、モータの小形軽量化を図ることができる。しかも、固定子の界磁磁石を形成する電磁石コイルがないモータに係わらず、フラッシュオーバーの発生を防止することができる。
【００４１】
以上の実施形態の説明から明らかにされるように、本発明によれば、単相交流電源電圧が１００Ｖを超える電圧に対して火花放電またはフラッシュオーバーを抑制することができる。特に、２００V以上の高電圧電源で駆動する場合に適用して、大型の平滑用電解コンデンサを使用することなく、火花放電またはフラッシュオーバーを抑制することができる。これにより、従来の平滑用電解コンデンサ（７）の接続を省略することが可能となるので、安価で信頼性の高い整流子モータおよび電動工具を提供することができる。
【００４２】
以上、本発明者によってなされた発明を実施形態に基づき説明したが、本発明は上記実施形態に限定されるものではなく、その要旨を逸脱しない範囲内で種々の変更が可能である。
【図面の簡単な説明】
【００４３】
【図１】本発明の一実施形態に係る永久磁石整流子モータおよび電動工具の断面図。
【図２】図１に示す永久磁石整流子モータの回路図。
【図３】図１に示す永久磁石整流子モータの展開図。
【図４】図３に示す永久磁石整流子モータについて単相交流電源電圧と火花放電の関係を実験的に求めたグラフ。
【図５】図４に示すグラフから単相交流電源電圧と火花放電の関係を求めた特性表。
【図６】本発明に係る永久磁石整流子モータの変形例を示す断面図。
【図７】従来の永久磁石整流子モータを示す回路図。
【符号の説明】
【００４４】
１：単相交流電源（商用電源）      ２：全波整流回路（基板）
３：固定子      ３ａ：固定子ヨーク      ３ｂ、３ｃ：固定子永久磁石
４：ブラシ      ４ａ：ブラシホルダ      ５：電機子      ５ａ：整流子
５ｂ：電機子コア      ５ｃ：電機子コアスロット      ５ｄ：電機子コアティース部
５ｅ：電機子シャフト      ５ｆ：整流子片      ６：電機子コイル
６１：第１の電機子コイル      ６２：第２の電機子コイル
６３：第３の電機子コイル      ７：電解コンデンサ
８ａ、８ｂ、８ｃ：ノイズ抑制用コンデンサ      ７０：永久磁石整流子モータ
１００：ハンマドリル（電動工具）      １０１：ハウジング
１０１ａ：胴体ハウジング部      １０１ｂ：ハンドルハウジング部
１０２：工具保持部      １０３：先端工具      １０４：電源ケーブル
１０５：トリガ      １０６：スイッチ機構部      １０７：動力伝達機構部
１０８：風窓      ａ：整流子片幅      ｂ：カーボンブラシの回転方向の幅
ｒａ：電機子コアの外半径      ｒｍ：永久磁石の内半径
δ：ｒｍとｒａの中心のずれ
【図１】
2010068668.tif 000003
【図２】
2010068668.tif 000004
【図３】
2010068668.tif 000005
【図４】
2010068668.tif 000006
【図５】
2010068668.tif 000007
【図６】
2010068668.tif 000008
【図７】
2010068668.tif 000009